(57)【要約】【課題】竪枠のパネル体受け片と下枠の天板との間のシール作業が不要で水密性の良好な嵌め殺しサッシ及びサッシを提供する。【解決手段】  本発明の嵌め殺しサッシ１において、竪枠３はパネル７の室内側面７ａを受ける室内側パネル受け片９を竪枠３の長手方向に有し、下枠５はパネル取付溝３７を有すると共にパネル７の室内側に位置する天板２９の竪枠側端部に、竪枠３の室内側パネル受け片９の下端部を呑み込む欠除部３５を有し、室内側パネル受け片９の下端９ａが下枠５の天板２９よりも下方で且つパネル取付溝３７の溝底３９との間に垂下しており、室内側パネル受け片９の下端部の室内側面９ｂ及び枠内周側面９ｃが欠除部３５の縁部４１、４３に当接している。【選択図】図１
2007120138.tif 000002
【特許請求の範囲】
【請求項１】
竪枠と下枠とパネルとを備え、竪枠はパネルの室内側面を受ける室内側パネル受け片を竪枠の長手方向に有し、下枠はパネル取付溝を有すると共にパネルの室内側に位置する天板の竪枠側端部に、竪枠の室内側パネル受け片の下端部を呑み込む欠除部を有し、室内側パネル受け片の下端が下枠の天板よりも下方で且つパネル取付溝の溝底との間に垂下しており、室内側パネル受け片の下端部の室内側面及び枠内周側面が欠除部の縁部に当接していることを特徴とする嵌め殺しサッシ。
【請求項２】
竪枠と下枠とパネル体とを備え、竪枠はパネル体の室内側面を受けるパネル体受け片を竪枠の長手方向に有し、下枠は基板と基板の上方に位置し且つパネル体の室内側に位置するパネル体受け片とを下枠の長手方向に有し、天板は竪枠側端部にパネル体受け片の下端部を呑み込む欠除部を有し、パネル体受け片の下端が下枠の天板よりも下方で且つ下枠の基板との間に垂下しており、パネル体受け片の下端部の室内側面及び枠内周側面が欠除部の縁部に当接していることを特徴とするサッシ。
【発明の詳細な説明】
【技術分野】
【０００１】
本発明は、嵌め殺しサッシ及びサッシに関する。
【背景技術】
【０００２】
特許文献１には、下枠の竪枠側端部に欠除部を設け、パネル体受け片の下端部を欠除部に呑み込ませると共にパネル体受け片の下端を立上壁から室外側に突設する基盤に当接して設けることが開示されている。
【０００３】
【特許文献１】実開平５−８７１９７号公報
【発明の開示】
【発明が解決しようとする課題】
【０００４】
しかし、室内側パネル体受け片の下端が下枠の基板に当接しているので、下枠の基板にある水が表面張力や室内と室外との気圧差等によりパネル体受け片の室内側面や内周側面を伝わって上昇し、パネル体受け片と天板との隙間から室内側に入り込むおそれがあった。この為、パネル体受け片と下枠の天板との間をシール材でシールしていたので、シール作業に手間がかかるという問題があった。
【０００５】
そこで、本発明は、竪枠のパネル体受け片と下枠の天板との間のシール作業が不要で水密性の良好な嵌め殺しサッシ及びサッシの提供を目的とする。
【課題を解決するための手段】
【０００６】
請求項１に記載の発明は、竪枠と下枠とパネルとを備え、竪枠はパネルの室内側面を受ける室内側パネル受け片を竪枠の長手方向に有し、下枠はパネル取付溝を有すると共にパネルの室内側に位置する天板の竪枠側端部に、竪枠の室内側パネル受け片の下端部を呑み込む欠除部を有し、室内側パネル受け片の下端が下枠の天板よりも下方で且つパネル取付溝の溝底との間に垂下しており、室内側パネル受け片の下端部の室内側面及び枠内周側面が欠除部の縁部に当接していることを特徴とする嵌め殺しサッシである。
【０００７】
請求項２に記載の発明は、竪枠と下枠とパネル体とを備え、竪枠はパネル体の室内側面を受けるパネル体受け片を竪枠の長手方向に有し、下枠は基板と基板の上方に位置し且つパネル体の室内側に位置するパネル体受け片とを下枠の長手方向に有し、天板は竪枠側端部にパネル体受け片の下端部を呑み込む欠除部を有し、パネル体受け片の下端が下枠の天板よりも下方で且つ下枠の基板との間に垂下しており、パネル体受け片の下端部の室内側面及び枠内周側面が欠除部の縁部に当接していることを特徴とするサッシである。
パネル体は、パネル、障子又は扉である。
【発明の効果】
【０００８】
請求項１に記載の発明によれば、室内側パネル受け片の室外側面を伝わって落下してきた水が、室内と室外との気圧差等によりパネル受け片の室内側面や内周側面に回り込んで天板上面に浸入することがない。
更に、室内側パネル受け片の下端は溝底との間に隙間をあけているので、溝底にある水が表面張力や室内と室外との気圧差等により室内側パネル受け片の室内側面や内周側面を伝わって天板上面に浸入することがない。
したがって、室内側パネル受け片と天板との間をシールするシール作業が不用であり、しかも水密性が良い。
【０００９】
請求項２に記載の発明によれば、パネル体受け片の室外側面を伝わって落下してきた水が、室内と室外との気圧差等によりパネル体受け片の室内側面や内周側面に回り込んで天板上面に浸入することがない。
更に、室内側パネル体受け片の下端は基板との間に隙間をあけているので、基板にある水が表面張力や室内と室外との気圧差等により室内側パネル受け片の室内側面や枠内周側面を伝わって天板上面に浸入することがない。
したがって、竪枠のパネル体受け片の下端部の室内側面及び枠内周側面と天板との間をシールするシール作業が不用であり、水密性が良い。
【発明を実施するための最良の形態】
【００１０】
以下に、添付図面を参照して本発明の実施の形態を説明する。先ず、図１〜図４を参照して本発明の第１実施の形態を説明する。図１（ａ）は第１実施の形態にかかるサッシの下コーナ部を切断して示す斜視図であり、（ｂ）は（ａ）のＡ−Ａ断面図であり、図２は下枠の竪框側端部を示す平面図であり、図３は第１実施の形態にかかるサッシの縦断面図であり、図４は第１実施の形態にかかるサッシの横断面図である。
第１実施の形態にかかる嵌め殺しサッシ１は、竪枠３と下枠５とパネル７とを備えており、下枠５の長手方向の端に竪枠３を載置して固定してある。尚、サッシ１の左右の下コーナ部は同一の構成であるから、以下の説明では右下コーナ部のみの説明をして、左下コーナ部の説明は省略する。
竪枠３はパネル７の室内側面７ａを受ける室内側パネル受け片９と、パネル７の室外側面７ｂを受ける室外側パネル受け片１１とを各々竪枠３の長手方向に亘って設けてある。室内側パネル受け片９は、枠内周側に突設した脚部１３と、脚部１３の枠内周側端部から室外側に向けて突設したシール材保持部１５が設けてある。シール材保持部１５とパネル７との間にバックアップ材１７が嵌め込まれていると共にバックアップ材１７の内周側にシール材１９が充填されている。
室外側パネル受け片１１は、室内側パネル受け片９と間隔をあけて略平行に竪枠３設けてあり、室内側パネル受け片９と同様に脚部２１と、脚部２１の枠内周側端部から室内側に向けて突設したシール材保持部２３とを有し、シール材保持部２３とパネル７との間にバックアップ材１７及びシール材１９が設けてある。
下枠５は、長手方向に亘ってパネル取付溝３７を有している。また、下枠５にはパネル７の室内側に天板２９が設けてある。天板２９の室外側端にはパネル７の室内側面を受ける室内側パネル受け片２５が設けてあり、室内側パネル受け片２５とパネル７との間には、バックアップ材１７及びシール材１９が設けてある。
パネル取付溝３７の室外側には室外側パネル受け片２７が設けてあり、室外側パネル受け片２７とパネル７との間にはバックアップ材及びシール材１９が設けてある。
パネル取付溝３７の溝底３９には、水抜き孔３３が形成されている（図３参照）。
下枠５の天板２９において、竪枠側端部には、竪枠３の室内側パネル受け片９の下端部を呑み込む欠除部３５が設けてある。欠除部３５は、図２に示すように、下枠５の天板２９及び室内側パネル受け片２５を室外側縁部４１と枠内周側縁部４３とで平面視略Ｌ字形状に切除して形成している。
竪枠３の室内側パネル受け片９の下端９ａは下枠５の天板２９よりも下方で且つパネル取付溝３７の溝底３９との間に垂下している。本実施の形態では、竪枠３の室内側パネル受け片９の下端９ａは、パネル取付溝３７の上下方向略中央に位置している。
室内側パネル受け片９の下端部の室内側面９ｂを欠除部３５の室外側縁部４１に当接し、枠内周側面９ｃを欠除部３５の枠内周側面縁部４３に当接している。
【００１１】
次に、本実施の形態にかかるサッシ１における作用及び効果について説明する。
図１（ｂ）に示すように、室内側パネル受け片９の室外側面９ｄを伝わって落下してきた水は、天板２９よりも下方に位置してパネル取付溝３７内に垂下している下端９ａからパネル取付溝３７内に落下する。
本実施の形態によれば、室内側パネル受け片９の室外側面９ｄを伝わって落下してきた水が室内と室外との気圧差等によりパネル受け片９の室内側面９ｂや内周側面９ｃに回り込んで天板２９の上面に浸入することがない。
更に、室内側パネル受け片９の下端９ａは溝底３９との間に隙間をあけているので、溝底３９にある水が表面張力や室内と室外との気圧差等により室内側パネル受け片９の室内側面や内周側面を伝わって天板上面に浸入することがない。
したがって、竪枠３の室内側パネル受け片９の下端部の室内側面９ｂ及び枠内周側面９ｃと天板２９との間をシールするシール作業が不用であり、水密性が良い。
【００１２】
次に、図５を参照して本発明の第２実施の形態について説明するが、以下に説明する実施の形態において、第１実施の形態と同一の作用効果を奏する部分には、同一の符号を付することにより、その部分の詳細な説明を省略し、以下の説明では第１実施の形態と主に異なる点を説明する。図５は第２実施の形態にかかるサッシ４０の下コーナ部を切断して示す斜視図である。
第２実施の形態にかかるサッシ４０は、外開きサッシであり、パネル体４７は、障子である。下枠５は、基板４９と基板４９の上方に位置し且つパネル体４７の室内側に位置するパネル体受け片２５とを下枠の長手方向に有している。天板２９には竪枠側端部にパネル体受け片の下端部を呑み込む欠除部３５が設けてある。尚、下枠には天板２９から基板４９に連続する立上壁５１が設けてある。
欠除部３５では、竪枠３のパネル体受け片９の下端９ａが下枠５の天板２９よりも下方で且つ下枠５の基板４９との間に垂下しており、パネル体受け片９の下端部９ａの室内側面９ｂ及び枠内周側面９ｃが欠除部３５の縁部４１、４３に当接している。
この第２実施の形態によれば、パネル受け片９の室外側面９ｄを伝わって落下してきた水が室内と室外との気圧差等によりパネル受け片９の室内側面９ｂや内周側面９ｃに回り込んで天板２９の上面に浸入することがない。
更に、パネル体受け片９の下端９ａは基板４９との間に隙間をあけているので、基板４９にある水が表面張力や室内と室外との気圧差等により室内側パネル受け片９の室内側面９ｂや枠内周側面９ｃを伝わって天板２９上面に浸入することがない。
したがって、竪枠３のパネル体受け片９の下端部の室内側面９ｂ及び枠内周側面９ｃと天板２９との間をシールするシール作業が不用であり、水密性が良い。
【００１３】
本発明は、上述した実施の形態に限らず、本発明の要旨を逸脱しない範囲で種々変形可能である。
例えば、竪枠３の室内側パネル受け片９の下端９ａは、下枠５の天板２９の裏面から離れていると共に溝底３９との間に隙間を形成していればよく、下枠５のパネル体受け溝３７の上下方向略中央に位置することに限らない。
第２実施の形態にかかるサッシ１は、突き出しサッシ、すべり出しサッシやドアであってもよい。
【図面の簡単な説明】
【００１４】
【図１】（ａ）は第１実施の形態にかかるサッシの下コーナ部を切断して示す斜視図であり、（ｂ）は（ａ）のＡ−Ａ断面図である。
【図２】下枠の竪框側端部を示す平面図である。
【図３】本実施の形態にかかる嵌め殺しサッシの縦断面図である。
【図４】本実施の形態にかかる嵌め殺しサッシの横断面図である。
【図５】第２実施の形態にかかるサッシの下コーナ部を切断して示す斜視図である。
【符号の説明】
【００１５】
１      嵌め殺しサッシ
３      竪枠
５      下枠
７      パネル
９      室内側パネル受け片（パネル体受け片）
９ａ    下端
９ｂ    室内側面
９ｃ    枠内周側面
２９    天板
３５    欠除部
３７    パネル取付溝
３９    溝底
４０    サッシ
４１    室外側縁部（欠除部の縁部）
４３    枠内周側縁部（欠除部の縁部）
４７    パネル体
４９    基板
【図１】
2007120138.tif 000003
【図２】
2007120138.tif 000004
【図３】
2007120138.tif 000005
【図４】
2007120138.tif 000006
【図５】
2007120138.tif 000007